(57)【要約】      （修正有）【課題】フレキシブルフラットケーブルにノイズが誘起されるのを抑制し、不要輻射ノイズを低減するフレキシブルフラットケーブルの配索構造を提供する。【解決手段】電子機器は、互いに係脱可能な第１部材及び第２部材と、第１部材に取り付けられる第１回路基板６０と、第２部材に取り付けられる第２回路基板７０と、第１回路基板６０と第２回路基板７０とを電気的に接続するフレキシブルフラットケーブル８０と、を備え、第１回路基板６０及び第２回路基板７０のうち少なくともいずれか一方の回路基板が、高周波信号を扱う回路領域６８を有しており、フレキシブルフラットケーブル８０が、高周波信号を扱う回路領域６８と重ならないように複数回折り畳まれた状態で配索されている。【選択図】図３
2008085158.tif 000002
【特許請求の範囲】
【請求項１】
高周波信号を扱う回路領域を有する回路基板に電気的に接続されるフレキシブルフラットケーブルの配索構造であって、
前記フレキシブルフラットケーブルが、高周波信号を扱う前記回路領域と重ならないように複数回折り畳まれていることを特徴とするフレキシブルフラットケーブルの配索構造。
【請求項２】
高周波信号を扱う回路領域を有する回路基板に電気的に接続されるフレキシブルフラットケーブルの配索構造であって、
前記フレキシブルフラットケーブルを、高周波信号を扱う前記回路領域と電磁的に結合しないように複数回折り畳まれていることを特徴とするフレキシブルフラットケーブルの配索構造。
【請求項３】
所定の間隔を有して対向するように配置された二つの回路基板を電気的に接続するフレキシブルフラットケーブルの配索構造であって、
前記二つの回路基板のうち少なくともいずれか一方の回路基板が、高周波信号を扱う回路領域を有し、
前記フレキシブルフラットケーブルを、高周波信号を扱う前記回路領域と重ならないように複数回折り畳まれていることを特徴とするフレキシブルフラットケーブルの配索構造。
【請求項４】
所定の間隔を有して対向するように配置された二つの回路基板を電気的に接続するフレキシブルフラットケーブルの配索構造であって、
前記二つの回路基板のうち少なくともいずれか一方の回路基板が、高周波信号を扱う回路領域を有し、
前記フレキシブルフラットケーブルを、高周波信号を扱う前記回路領域と電磁的に結合しないように複数回折り畳まれていることを特徴とするフレキシブルフラットケーブルの配索構造。
【請求項５】
互いに係脱可能な第１及び第２部材と、
前記第１部材に取り付けられる第１回路基板と、
前記第２部材に取り付けられる第２回路基板と、
前記第１回路基板と前記第２回路基板とを電気的に接続するフレキシブルフラットケーブルと、を備え、
前記第１及び第２回路基板のうち少なくともいずれか一方の回路基板が、高周波信号を扱う回路領域を有しており、
前記フレキシブルフラットケーブルが、高周波信号を扱う前記回路領域と重ならないように複数回折り畳まれた状態で配索されていることを特徴とする電子機器。
【請求項６】
互いに係脱可能な第１及び第２部材と、
前記第１部材に取り付けられる第１回路基板と、
前記第２部材に取り付けられる第２回路基板と、
前記第１回路基板と前記第２回路基板とを電気的に接続するフレキシブルフラットケーブルと、を備え、
前記第１及び第２回路基板のうち少なくともいずれか一方の回路基板が、高周波信号を扱う回路領域を有しており、
前記フレキシブルフラットケーブルが、高周波信号を扱う前記回路領域と電磁的に結合しないように複数回折り畳まれた状態で配索されていることを特徴とする電子機器。
【発明の詳細な説明】
【技術分野】
【０００１】
本発明は、フレキシブルフラットケーブル（以下、ＦＦＣと称する）の配索構造、及び、フレキシブルフラットケーブルを備える電子機器に関する。
【背景技術】
【０００２】
各種電子機器において、二つの回路基板を電気的に接続する際に、ＦＦＣが用いられることが多くなっている（例えば、特許文献１参照）。
【特許文献１】特開２００４−１２２５８４号公報
【発明の開示】
【発明が解決しようとする課題】
【０００３】
回路基板が高周波信号を扱う回路領域（例えば、高周波信号を扱う集積回路チップや高周波信号が流れる配線パターン等）を有する場合、ＦＦＣが高周波信号を扱う回路領域に近接して配置されると、当該回路領域が電気的ノイズ源となって、ＦＦＣに電磁ノイズが誘起されることがある。ＦＦＣに電磁ノイズが誘起されると、誘起された電磁ノイズは、ＦＦＣ又はＦＦＣが接続された電気回路をアンテナとして電子機器外へ輻射されて、不要輻射ノイズとなってしまう。
【０００４】
ＦＦＣと高周波信号を扱う回路領域とを近接させない手法として、ＦＦＣの長さを短くすることが考えられる。しかしながら、ＦＦＣにより電気的に接続される二つの回路基板がそれぞれ異なる部材に取り付けられている場合など、ＦＦＣの長さを短く設定してしまうと、ＦＦＣを各回路基板に接続するための作業が困難となり、作業性が極めて悪くなってしまう。このため、ＦＦＣを回路基板に接続する際の作業性を考慮して、ＦＦＣの長さを長く設定せざるを得ず、上記不要輻射ノイズを抑制することは困難であった。
【０００５】
そこで、本発明は上記事情を考慮してなされたもので、フレキシブルフラットケーブルに電磁ノイズが誘起されるのを抑制し、不要輻射ノイズを低減することが可能なフレキシブルフラットケーブルの配索構造及び電子機器を提供することを目的とする。
【課題を解決するための手段】
【０００６】
本発明に係るフレキシブルフラットケーブルの配索構造は、高周波信号を扱う回路領域を有する回路基板に電気的に接続されるフレキシブルフラットケーブルの配索構造であって、フレキシブルフラットケーブルが、高周波信号を扱う回路領域と重ならないように複数回折り畳まれていることを特徴とする。
【０００７】
本発明に係るフレキシブルフラットケーブルの配索構造は、高周波信号を扱う回路領域を有する回路基板に電気的に接続されるフレキシブルフラットケーブルの配索構造であって、フレキシブルフラットケーブルを、高周波信号を扱う回路領域と電磁的に結合しないように複数回折り畳まれていることを特徴とする。
【０００８】
本発明に係るフレキシブルフラットケーブルの配索構造は、所定の間隔を有して対向するように配置された二つの回路基板を電気的に接続するフレキシブルフラットケーブルの配索構造であって、二つの回路基板のうち少なくともいずれか一方の回路基板が、高周波信号を扱う回路領域を有し、フレキシブルフラットケーブルを、高周波信号を扱う回路領域と重ならないように複数回折り畳まれていることを特徴とする。
【０００９】
本発明に係るフレキシブルフラットケーブルの配索構造は、所定の間隔を有して対向するように配置された二つの回路基板を電気的に接続するフレキシブルフラットケーブルの配索構造であって、二つの回路基板のうち少なくともいずれか一方の回路基板が、高周波信号を扱う回路領域を有し、フレキシブルフラットケーブルを、高周波信号を扱う回路領域と電磁的に結合しないように複数回折り畳まれていることを特徴とする。
【００１０】
本発明に係る電子機器は、互いに係脱可能な第１及び第２部材と、第１部材に取り付けられる第１回路基板と、第２部材に取り付けられる第２回路基板と、第１回路基板と第２回路基板とを電気的に接続するフレキシブルフラットケーブルと、を備え、第１及び第２回路基板のうち少なくともいずれか一方の回路基板が、高周波信号を扱う回路領域を有しており、フレキシブルフラットケーブルが、高周波信号を扱う回路領域と重ならないように複数回折り畳まれた状態で配索されていることを特徴とする。
【００１１】
本発明に係る電子機器は、互いに係脱可能な第１及び第２部材と、第１部材に取り付けられる第１回路基板と、第２部材に取り付けられる第２回路基板と、第１回路基板と第２回路基板とを電気的に接続するフレキシブルフラットケーブルと、を備え、第１及び第２回路基板のうち少なくともいずれか一方の回路基板が、高周波信号を扱う回路領域を有しており、フレキシブルフラットケーブルが、高周波信号を扱う回路領域と電磁的に結合しないように複数回折り畳まれた状態で配索されていることを特徴とする。
【発明の効果】
【００１２】
本発明によれば、フレキシブルフラットケーブルにノイズが誘起されるのを抑制し、不要輻射ノイズを低減することが可能となる。
【発明を実施するための最良の形態】
【００１３】
以下、添付図面を参照して、本発明の好適な実施形態について詳細に説明する。なお、説明において、同一要素又は同一機能を有する要素には、同一符号を用いることとし、重複する説明は省略する。
【００１４】
図１には、本発明の電子機器の実施形態である液晶プロジェクタ１の外観が示されている。液晶プロジェクタ１は、上部筐体１２、下部筐体１０及び前面カバー１４が互いに係合されて、全体として箱型の形状を有している。液晶プロジェクタ１の前面には、前方に向かって映像光を投射するための投射レンズ５０が設けられており、液晶プロジェクタ１の前方に配置されるスクリーンに所望の映像を映し出す。また、液晶プロジェクタ１の上面には、液晶プロジェクタ１を操作するための操作部１８が設けられている。なお、上部筐体１２、下部筐体１０及び前面カバー１４は、互いに係脱可能に構成されており、図２に示されるように分解することができる。
【００１５】
図２には、図１の液晶プロジェクタ１が分解された状態で示されている。液晶プロジェクタ１の内部には、主電源回路ブロック２０と、ランプ点灯回路ブロック３０と、光学系ユニット４０と、投射レンズ５０と、主回路基板６０、副回路基板７０と、フレキシブルフラットケーブル（Flexible Flat Cable：ＦＦＣ）８０と、これらを冷却するための３つの冷却ファン９０，９２，９４と、が設けられている。なお、レンズカバー１６は、投射レンズ５０を保護するものであり、液晶プロジェクタの使用時に取り外される。
【００１６】
光学系ユニット４０の内部には、光源であるランプと、ランプからの白色光をＲ（赤）、Ｇ（緑）及びＢ（青）の３色に分離するための複数のダイクロイックミラーと、ダイクロイックミラーにより分離されたＲ光が照射されるＲ用透過型液晶パネルと、ダイクロイックミラーにより分離されたＧ光が照射されるＧ用透過型液晶パネルと、ダイクロイックミラーにより分離されたＢ光が照射されるＢ用透過型液晶パネルと、各液晶パネルを透過した光（Ｒ光、Ｇ光及びＢ光）を合成するダイクロイックプリズムと、が配置されている。
【００１７】
主回路基板６０は、液晶プロジェクタ１の動作を制御するための各種の集積回路が実装された基板であり、光学系ユニット４０等の上側に固定されることで下部筐体１０に取り付けられている。主回路基板６０に実装された集積回路のうち、投射される映像光を制御するための集積回路６２が、図２に示されている。この映像光制御用の集積回路６２は、Ｒ，Ｇ及びＢ用の液晶パネルに接続されており、入力される映像信号やパソコンからの情報信号に基づいた駆動信号を各液晶パネルに出力し、各液晶パネルの透過率を調節する。これにより、ダイクロイックミラーにより分離されたＲ光、Ｇ光及びＢ光は、各色用の液晶パネルを通過することにより、各色（Ｒ，Ｇ及びＢ）の映像光に変換される。これらの映像光がダイクロイックプリズムにより合成されてフルカラーの映像光が生成され、さらに、このフルカラーの映像光が投射レンズ５０を通過することで、拡大された映像がスクリーンに投射される。
【００１８】
映像光制御用の集積回路６２は、上述したように液晶パネルを駆動するための駆動信号を出力するものであり、高周波信号を取り扱うものである。また、主回路基板６０上で映像光制御用の集積回路６２の周辺に配設された配線パターン６６（図３参照）も、同様に高周波信号を取り扱うものである。よって、映像光制御用の集積回路６２及びその周辺の配線パターン６６は、高周波信号に応じた電磁波を周囲に発する高周波信号を扱う回路領域６８（図３参照）である。
【００１９】
副回路基板７０は、操作部１８の各ボタンの押下状態を検出したり、インジケーターを点滅させたりするための処理を行う基板であり、上部筐体１２において操作部１８の裏側に取り付けられる。副回路基板７０が取り付けられる位置は、図２にて点線で示されている。液晶プロジェクタ１から上部筐体１２が取り外された際には、上部筐体１２に取り付けられた副回路基板７０は、下部筐体１０に取り付けられた主回路基板６０から離れることとなる。
【００２０】
ＦＦＣ８０は、多数の信号ラインが纏めて形成されたフレキシブルな帯状部材であり、主回路基板６０と副回路基板７０とを電気的に接続している。即ち、ＦＦＣ８０の一端は、副回路基板７０の端部のコネクタ７２に接続されており、ＦＦＣ８０の他端は、主回路基板６０に設けられたコネクタ６４に接続されている。このＦＦＣ８０は、主回路基板６０と副回路基板７０との間で信号を伝送したり、主回路基板６０から副回路基板７０に電力を供給するために用いられる。
【００２１】
ＦＦＣ８０は、液晶プロジェクタ１の組み立て性を向上するために、ジグザグに複数回折り畳まれた形状となっている。このようなＦＦＣ８０のレイアウト（配索構造）により、ＦＦＣ８０は下部筐体１０と上部筐体１２との間で伸縮可能となっている。よって、液晶プロジェクタ１の組み立て時に、作業者は、ＦＦＣ８０の下端を主回路基板６０のコネクタ６４に接続してから、ＦＦＣ８０を副回路基板７０の方向に伸ばして、ＦＦＣ８０の上端を副回路基板７０のコネクタ７２に接続し、最後に上部筐体１２を下部筐体１０に係合させればよい。
【００２２】
図３には、組み立て後の液晶プロジェクタ１の内部が示されている。主回路基板６０と副回路基板７０とが所定の間隔を有して対向するように配置されている。主回路基板６０上には映像光制御用の集積回路６２及び配線パターン６６が実装されており、映像光制御用の集積回路６２及び配線パターン６６の右方にはコネクタ６４が実装されている。映像光制御用の集積回路６２及び配線パターン６６の上方の領域（より詳しくは、集積回路６２及び配線パターン６６から主回路基板６０に対して垂直な方向の領域）は、高周波信号を扱う回路領域６８であり、映像光制御用の集積回路６２及び配線パターン６６に起因する電磁ノイズが誘起されやすい領域である。副回路基板７０は、映像光制御用の集積回路６２及び配線パターン６６の右斜め上方に位置している。ＦＦＣ８０は、主回路基板６０に実装されたコネクタ６４から副回路基板７０に実装されたコネクタ７２までジグザグに延びている。
【００２３】
ＦＦＣ８０がジグザグに複数回折り畳まれた形状であることにより、ＦＦＣ８０が高周波信号を扱う回路領域６８と出来るだけ重ならないようにされている。仮に、ＦＦＣ８０が複数回折り畳まれずに映像光制御用の集積回路６２の真上まで延びていた場合には、ＦＦＣ８０には集積回路６２及び配線パターン６６に起因する電磁ノイズが顕著に誘起されて、ＦＦＣ８０をアンテナとして外部に放射される不要輻射（Electro-MagneticInterference：ＥＭＩ）が大きくなってしまう。これに対して、本実施形態のようにＦＦＣ８０がジグザグに複数回折り畳まれた形状である場合には、ＦＦＣ８０は高周波信号を扱う回路領域６８からより遠ざかるため、ＦＦＣ８０に誘起される電磁ノイズが低減されて、ＦＦＣ８０からの不要輻射ノイズを低減することができる。
【００２４】
ＦＦＣ８０と高周波信号を扱う回路領域６８との電磁的な結合を弱めて不要輻射ノイズを低減するためには、ＦＦＣ８０と高周波信号を扱う回路領域６８との間に、電磁的な結合を弱めるためのシールド部材を配置することが考えられる。しかしながら、この場合には、部品点数の増加に伴い、コスト上昇や組立工数の増加が考えられる。本実施形態では、ＦＦＣ８０を複数回折り畳むという極めて簡単な構成により、不要輻射ノイズの低減を実現しており、コスト上昇や組立工数の増加等を招くことはない。
【００２５】
なお、本実施形態においてＦＦＣ８０の左側の屈曲部分は、高周波信号を扱う回路領域６８の真上に位置しているが、このような構成も本発明に含まれるものである。即ち、ＦＦＣ８０をジグザグに複数回折り畳むことで、高周波信号を扱う回路領域６８と重なる面積がより小さくされれば、たとえＦＦＣ８０の一部が高周波信号を扱う回路領域６８と重なっていても、ＦＦＣ８０からの不要輻射を低減する効果が得られる。なお、液晶プロジェクタの実際の設計に際しては、ＦＦＣ８０からの不要輻射が所定の規格等により決定される上限値を超えないように、ＦＦＣ８０の折り畳み形状を設計すればよい。
【００２６】
ところで、ＦＦＣ８０と高周波信号を扱う回路領域６８とが重なる面積を小さくするために、ＦＦＣ８０を円筒状に巻かれた形状とすることも考えられる。このようにＦＦＣ８０が円筒状に巻かれた場合、ＦＦＣ８０の円筒状に巻かれた部分を磁束が通ることとなり、電磁的に結合しやすくなり、不要輻射ノイズが増加することが考えられる。また、ＦＦＣ８０を収納するためのスペースも大きくなってしまう。以上のことから、ＦＦＣ８０を円筒状に巻かれた形状とすることは、好ましくない。
【００２７】
ＦＦＣ８０を複数回折り畳むことなく、二つ折りの状態としても、ＦＦＣ８０を高周波信号を扱う回路領域６８とは反対側（図３の右側）に配索することにより、高周波信号を扱う回路領域６８との電磁的な結合を弱めて、不要輻射ノイズを低減することができるが、以下のことにより好ましくない。液晶プロジェクタ１内には、光学系ユニット４０のランプや主電源回路ブロック２０等の発熱する部位が多い。これらの発熱部位は、液晶プロジェクタ１の内部レイアウトによっては、主回路基板６０の近傍に存在することもあり、ＦＦＣ８０を高周波信号を扱う回路領域６８とは反対側に配索することにより、ＦＦＣ８０の一部が上述した発熱部位に近づいてしまうことが考えられる。本実施形態では、ＦＦＣ８０を複数回折り畳んでいるので、主回路基板６０の近傍に発熱部位が存在している場合でも、ＦＦＣ８０が発熱部位に近づけられた状態でレイアウトされるのを確実且つ容易に防ぐことができる。
【００２８】
なお、本実施形態では、ＦＦＣ８０の屈曲部分（コネクタ６４，７２の直近の屈曲部分を除く）は４箇所であったが、他の実施形態ではＦＦＣ８０の屈曲部分はより多くてもよいし、より少なくてもよい。即ち、ＦＦＣ８０の屈曲部分が少なくとも２箇所あれば、ＦＦＣ８０の伸縮する長さを十分に確保しつつ、ＦＦＣ８０を高周波信号を扱う回路領域６８から遠ざけることができ、ＦＦＣ８０からの不要輻射を低減することができる。
【００２９】
図４には、上述した実施形態の変形例に係る液晶プロジェクタ１の内部が示されている。ＦＦＣ１８０は、主回路基板６０に実装されたコネクタ６４から副回路基板７０に実装されたコネクタ７２まで延びている。特に、この変形例に係るＦＦＣ１８０は、上述した実施形態と異なり、高周波信号を扱う回路領域６８と完全に重ならないようにジグザグに複数回折り畳まれている。このように、ＦＦＣ１８０が高周波信号を扱う回路領域６８と完全に重ならないようにすれば、ＦＦＣ１８０をアンテナとして外部に放射される不要輻射をより低減することができる。
【００３０】
図５には、上述した実施形態の他の変形例に係る液晶プロジェクタ１の内部が示されている。ＦＦＣ２８０は、主回路基板６０に実装されたコネクタ６４から副回路基板７０に実装されたコネクタ７２まで延びている。特に、この変形例に係るＦＦＣ２８０は、上述した実施形態と異なり、複雑な形状に折り畳まれている。このように、ＦＦＣ２８０が複雑な形状に折り畳まれた構成も本発明に含まれるものであり、ＦＦＣ２８０をアンテナとして外部に放射される不要輻射を低減することができる。
【００３１】
以上、本発明の実施形態について説明したが、本発明は上述した実施形態に限定されるものではない。例えば、上述した実施形態では、ＦＦＣは２枚の回路基板を接続するものであったが、ＦＦＣは１枚の回路基板と他の電子部品を接続するものであってもよい。また、上述した実施形態では、ＦＦＣは液晶プロジェクタの内部に配設されるものであったが、ＦＦＣは他の種類の電子機器の内部に配設されるものでもよい。
【図面の簡単な説明】
【００３２】
【図１】本発明の実施形態に係る液晶プロジェクタの外観を示す斜視図である。
【図２】本発明の実施形態に係る液晶プロジェクタの内部構造を示す分解斜視図である。
【図３】本発明の実施形態に係るフレキシブルフラットケーブルを示す側面図である。
【図４】本発明の実施形態の変形例に係るフレキシブルフラットケーブルを示す側面図である。
【図５】本発明の実施形態の他の変形例に係るフレキシブルフラットケーブルを示す側面図である。
【符号の説明】
【００３３】
１…液晶プロジェクタ、１０…下部筐体（第１部材）、１２…上部筐体（第２部材）、１４…前面カバー、１６…レンズカバー、１８…操作部、２０…主電源回路ブロック、３０…ランプ点灯回路ブロック、４０…光学系ユニット、５０…投射レンズ、６０…主回路基板（第１回路基板）、６２…映像光制御用の集積回路、６４…コネクタ、６６…配線パターン、６８…高周波信号を扱う回路領域、７０…副回路基板（第２回路基板）、７２…コネクタ、８０，１８０，２８０…フレキシブルフラットケーブル、９０，９２，９４…冷却ファン。
【図１】
2008085158.tif 000003
【図２】
2008085158.tif 000004
【図３】
2008085158.tif 000005
【図４】
2008085158.tif 000006
【図５】
2008085158.tif 000007